(57)【特許請求の範囲】
【請求項１】
第１電極フィルムおよび第２電極フィルムと、
前記第１電極フィルムの主面に形成された第１透明電極と、
前記第２電極フィルムの主面に形成された第２透明電極と、
前記第１透明電極と接続され、一部が外部接続に用いられる透明電極側の第１引き回し配線と、
外部接続に用いられない前記透明電極側の第１引き回し配線とスルーホールにより接続された外部接続側の第１引き回し配線と、
前記第２透明電極と接続された第２引き回し配線を有することを特徴とするタッチパネル。
【請求項２】
前記第２引き回し配線が、前記第２透明電極と接続された透明電極側の第２引き回し配線と、前記透明電極側の第２引き回し配線とスルーホールにより接続された外部接続側の第２引き回し配線からなることを特徴とする請求項１に記載のタッチパネル。
【請求項３】
前記第１電極フィルムと前記第２電極フィルムを接着する接着層と、
前記第１電極フィルムの主面に形成された前記透明電極側の第１引き回し配線と、
前記第２電極フィルムの主面に形成された前記外部接続側の第１引き回し配線と、
前記接着層を貫通する前記スルーホールを有することを特徴とする請求項１または２に記載のタッチパネル。
【請求項４】
前記第１電極フィルムと前記第２電極フィルムを接着する接着層と、
前記第１電極フィルムの一主面に形成された前記透明電極側の第１引き回し配線と、
前記第１電極フィルムの他の主面に形成された前記外部接続側の第１引き回し配線と、
前記第１電極フィルムを貫通する前記スルーホールを有することを特徴とする請求項１または２に記載のタッチパネル。
【請求項５】
前記第１電極フィルムと前記第２電極フィルムを接着する接着層と、
前記第１電極フィルムの主面に形成された前記透明電極側の第１引き回し配線と、
前記第２電極フィルムの主面に形成された前記外部接続側の第１引き回し配線と、
前記第１電極フィルム、前記接着層および前記第２電極フィルムを貫通する前記スルーホールを有することを特徴とする請求項１または２に記載のタッチパネル。
【請求項６】
前記第１電極フィルムと前記第２電極フィルムを接着する接着層と、
前記第１電極フィルムの主面に形成された前記透明電極側の第１引き回し配線と、
前記第２電極フィルムの主面に形成された前記外部接続側の第１引き回し配線と、
前記第１電極フィルムおよび前記接着層を貫通する前記スルーホールを有することを特徴とする請求項１または２に記載のタッチパネル。
【請求項７】
主面を有するカバーフィルムと、
前記カバーフィルムと前記第１電極フィルムを接着する第１接着層と、
前記第１電極フィルムと前記第２電極フィルムを接着する第２接着層と、
前記第１電極フィルムの主面に形成された前記透明電極側の第１引き回し配線と、
前記カバーフィルムの主面に形成された前記外部接続側の第１引き回し配線と、
前記第１接着層を貫通する前記スルーホールを有することを特徴とする請求項１または２に記載のタッチパネル。
【請求項８】
２つの主面を有する電極フィルムと、
前記電極フィルムの一主面に形成された第１透明電極と、
前記電極フィルムの他の主面に形成された第２透明電極と、
前記第１透明電極と接続され、一部が外部接続に用いられる透明電極側の第１引き回し配線と、
外部接続に用いられない前記透明電極側の第１引き回し配線とスルーホールにより接続された外部接続側の第１引き回し配線と、
前記第２透明電極と接続された第２引き回し配線を有することを特徴とするタッチパネル。
【請求項９】
前記第２引き回し配線が、前記第２透明電極と接続された透明電極側の第２引き回し配線と、前記透明電極側の第２引き回し配線とスルーホールにより接続された外部接続側の第２引き回し配線からなることを特徴とする請求項８に記載のタッチパネル。
【請求項１０】
前記電極フィルムの一主面に形成された前記透明電極側の第１引き回し配線と、
前記電極フィルムの他の主面に形成された前記外部接続側の第１引き回し配線と、
前記電極フィルムを貫通する前記スルーホールを有することを特徴とする請求項８または９に記載のタッチパネル。
【請求項１１】
主面を有するカバーフィルムと、
前記カバーフィルムと前記電極フィルムを接着する接着層と、
前記電極フィルムの一主面に形成された前記透明電極側の第１引き回し配線と、
前記カバーフィルムの主面に形成された前記外部接続側の第１引き回し配線と、
前記接着層を貫通する前記スルーホールを有することを特徴とする請求項８または９に記載のタッチパネル。
【請求項１２】
電極フィルムと、
前記電極フィルムの一主面に形成された第１透明電極および第２透明電極と、
前記第１透明電極と接続され、一部が外部接続に用いられる透明電極側の第１引き回し配線と、
外部接続に用いられない前記透明電極側の第１引き回し配線とスルーホールにより接続された外部接続側の第１引き回し配線と、
前記第２透明電極と接続された第２引き回し配線を有することを特徴とするタッチパネル。
【請求項１３】
前記第２引き回し配線が、前記第２透明電極と接続された透明電極側の第２引き回し配線と、前記透明電極側の第２引き回し配線とスルーホールにより接続された外部接続側の第２引き回し配線からなることを特徴とする請求項１２に記載のタッチパネル。
【請求項１４】
主面を有するカバーフィルムと、
前記カバーフィルムと前記電極フィルムを接着する接着層と、
前記電極フィルムの主面に形成された前記透明電極側の第１引き回し配線と、
前記カバーフィルムの主面に形成された前記外部接続側の第１引き回し配線と、
前記接着層を貫通する前記スルーホールを有することを特徴とする請求項１２または１３に記載のタッチパネル。
【発明の詳細な説明】
【技術分野】
【０００１】
本発明はタッチパネルに関し、特に狭額縁化されたタッチパネルに関する。
【背景技術】
【０００２】
図２４は従来のタッチパネル６０の断面図である。下面にＸ方向透明電極６１を有する上部電極フィルム６２と、上面にＹ方向透明電極６３を有する下部電極フィルム６４が、接着層６５を介して積層されている。Ｘ方向透明電極６１とＹ方向透明電極６３は接着層６５を隔てて対向する。上部電極フィルム６２の下面にＸ方向引き回し配線６６が設けられている。下部電極フィルム６４の上面にＹ方向引き回し配線が設けられている。但し図２４にＹ方向引き回し配線は示されていない。
【０００３】
図２５は従来のタッチパネル６０の上部電極フィルム６２の下面に形成された、Ｘ方向透明電極６１とＸ方向引き回し配線６６の配置図である（例えば特許文献１）。なおＸ方向透明電極６１とＸ方向引き回し配線６６は上部電極フィルム６２の下面にあるため本来は破線で表示すべきであるが、見やすくするため実線で表示した。
【０００４】
各Ｘ方向透明電極６１は、多数の菱型の透明電極パターン６１ａがＸ方向（横方向）に細い連結電極６１ｂで電気的に接続され、タッチパネル６０の横方向に配列されたものである。そして多数（例えば３０本）のＸ方向透明電極６１がタッチパネル６０の縦方向に平行に配列されている。Ｘ方向透明電極６１を上から第１行、第２行、第３行、...と呼ぶ。
【０００５】
各Ｘ方向透明電極６１に各Ｘ方向引き回し配線６６が接続されている。そのためＸ方向引き回し配線６６はＸ方向透明電極６１と同数である。例えばＸ方向透明電極６１が３０本のときは、Ｘ方向引き回し配線６６も３０本である。図２５では説明のため、Ｘ方向透明電極６１が８本、Ｘ方向引き回し配線６６が８本の例を示す。
【０００６】
図２５に示すように、第１行のＸ方向透明電極６１に１番のＸ方向引き回し配線６６が接続されている。第２行のＸ方向透明電極６１に２番のＸ方向引き回し配線６６が接続されている。以下同様にして、第８行のＸ方向透明電極６１に８番のＸ方向引き回し配線６６が接続されている。
【０００７】
図２５に示すように、上部電極フィルム６２の下面に、１番のＸ方向引き回し配線６６、２番のＸ方向引き回し配線６６、...、８番のＸ方向引き回し配線６６が配置される。
【０００８】
図２５の場合、Ｘ方向引き回し配線６６の配線幅（ライン）と配線間隔（スペース）をそれぞれＬ（μｍ）、Ｓ（μｍ）とすると、上部電極フィルム６２の下面の引き回し配線６６の領域の横方向の幅は少なくとも（８Ｌ+７Ｓ）（μｍ）必要である。
【０００９】
図２６は従来のタッチパネル６０の下部電極フィルム６４の上面に形成された、Ｙ方向透明電極６３とＹ方向引き回し配線６７の配置図である。各Ｙ方向透明電極６３は、多数の菱型の透明電極パターン６３ａがＹ方向（縦方向）に細い連結電極６３ｂで電気的に接続され、タッチパネル６０の縦方向に配列されたものである。そして多数（例えば４０本）のＹ方向透明電極６３がタッチパネル６０の横方向に平行に配列されている。Ｙ方向透明電極６３を左から第１列、第２列、第３列、...と呼ぶ。４個のＸ方向透明電極６１の透明電極パターン６１ａに囲まれた空白部に、１個のＹ方向透明電極６３の透明電極パターン６３ａが配置される。すなわちＸ方向透明電極６１の透明電極パターン６１ａとＹ方向透明電極６３の透明電極パターン６３ａが重ならないように、上部電極フィルム６２と下部電極フィルム６４は貼り合わされる。
【００１０】
各Ｙ方向透明電極６３に各Ｙ方向引き回し配線６７が接続されている。そのためＹ方向引き回し配線６７はＹ方向透明電極６３と同数である。例えばＹ方向透明電極６３が４０本のときは、Ｙ方向引き回し配線６７も４０本である。図２６では説明のため、Ｙ方向透明電極６３が１０本、Ｙ方向引き回し配線６７が１０本の例を示す。
【００１１】
図２６に示すように、第１列のＹ方向透明電極６３に１番のＹ方向引き回し配線６７が接続されている。第２列のＹ方向透明電極６３に２番のＹ方向引き回し配線６７が接続されている。以下同様にして、第１０列のＹ方向透明電極６３に１０番のＹ方向引き回し配線６７が接続されている。
【００１２】
図２６に示すように、下部電極フィルム６４の上面に、１番のＹ方向引き回し配線６７、２番のＹ方向引き回し配線６７、...、１０番のＹ方向引き回し配線６７が配置される。
【００１３】
タッチパネル６０に指を近付けると、指の近傍のＸ方向透明電極６１およびＹ方向透明電極６３におけるキャパシタンス等が変化する。各電極へ信号を切り替えながら、これらの電気的な変化を検出することで、指の位置のＸ座標およびＹ座標が検知される。なお、検出方式としては自己容量検出方式および相互容量検出方式がある。
【００１４】
タッチパネルは液晶パネルに組み合わせて用いられる。液晶パネルの狭額縁化が進行しているためタッチパネルの狭額縁化も必要である。現在、液晶パネルの狭額縁化は左右の辺で著しい。液晶パネルの狭い額縁に合わせてタッチパネルの左右の額縁を狭くすると、タッチパネルの額縁部分に収納されている引き回し配線の領域が不足する。
【００１５】
例えばＸ方向透明電極とＸ方向引き回し配線の本数を３０本、Ｘ方向引き回し配線の配線幅（ライン）を３０μｍ、配線間隔（スペース）を３０μｍとすると、上部電極フィルムの上面の引き回し配線の領域の横幅は約２ｍｍ必要である。そのため引き回し配線の領域の横幅がこれより小さくなると引き回し配線が不可能となるが配線幅や配線間隔を小さくすることには限界がある。
【先行技術文献】
【特許文献】
【００１６】
【特許文献１】特許第５０８４６９８号
【発明の概要】
【発明が解決しようとする課題】
【００１７】
本発明の目的は額縁の幅の狭いタッチパネルを実現することである。
【課題を解決するための手段】
【００１８】
本願発明者は引き回し配線を複数の面に分割して配置し、スルーホールを用いて分割された配線を接続することにより、配線領域の幅を狭くできることを見出し、本発明を完成させた。現在はＸ方向引き回し配線の配線領域の幅（左右の額縁の幅）を狭くする要求が強いため、以下Ｘ方向引き回し配線の配線領域の幅を狭くすることを主として説明するが、本発明はＹ方向引き回し配線の配線領域の幅（上下の額縁の幅）を狭くすることにも問題なく用いられる。
【００１９】
（１）本発明のタッチパネルは、第１電極フィルムおよび第２電極フィルムと、第１電極フィルムの主面に形成された第１透明電極と、第２電極フィルムの主面に形成された第２透明電極と、第１透明電極と接続された、透明電極側の第１引き回し配線と、透明電極側の第１引き回し配線とスルーホールにより接続された、外部接続側の第１引き回し配線と、第２透明電極と接続された第２引き回し配線を有する。
【００２０】
（２）本発明のタッチパネルにおいては、更に、第２引き回し配線が、第２透明電極と接続された、透明電極側の第２引き回し配線と、透明電極側の第２引き回し配線とスルーホールにより接続された、外部接続側の第２引き回し配線からなる。
【００２１】
（３）本発明のタッチパネルは、第１電極フィルムと第２電極フィルムを接着する接着層と、第１電極フィルムの主面に形成された透明電極側の第１引き回し配線と、第２電極フィルムの主面に形成された外部接続側の第１引き回し配線と、接着層を貫通するスルーホールを有する。
【００２２】
（４）本発明のタッチパネルは、第１電極フィルムと第２電極フィルムを接着する接着層と、第１電極フィルムの一主面に形成された透明電極側の第１引き回し配線と、第１電極フィルムの他の主面に形成された外部接続側の第１引き回し配線と、第１電極フィルムを貫通するスルーホールを有する。
【００２３】
（５）本発明のタッチパネルは、第１電極フィルムと第２電極フィルムを接着する接着層と、第１電極フィルムの主面に形成された透明電極側の第１引き回し配線と、第２電極フィルムの主面に形成された外部接続側の第１引き回し配線と、第１電極フィルム、接着層および第２電極フィルムを貫通するスルーホールを有する。
【００２４】
（６）本発明のタッチパネルは、第１電極フィルムと第２電極フィルムを接着する接着層と、第１電極フィルムの主面に形成された透明電極側の第１引き回し配線と、第２電極フィルムの主面に形成された外部接続側の第１引き回し配線と、第１電極フィルムおよび接着層を貫通するスルーホールを有する。
【００２５】
（７）本発明のタッチパネルは、主面を有するカバーフィルムと、カバーフィルムと第１電極フィルムを接着する第１接着層と、第１電極フィルムと第２電極フィルムを接着する第２接着層と、第１電極フィルムの主面に形成された透明電極側の第１引き回し配線と、カバーフィルムの主面に形成された外部接続側の第１引き回し配線と、第１接着層を貫通するスルーホールを有する。
【００２６】
（８）本発明のタッチパネルは、２つの主面を有する電極フィルムと、電極フィルムの一主面に形成された第１透明電極と、電極フィルムの他の主面に形成された第２透明電極と、第１透明電極と接続された、透明電極側の第１引き回し配線と、透明電極側の第１引き回し配線とスルーホールにより接続された、外部接続側の第１引き回し配線と、第２透明電極と接続された第２引き回し配線を有する。
【００２７】
（９）本発明のタッチパネルにおいては、更に、第２引き回し配線が、第２透明電極と接続された、透明電極側の第２引き回し配線と、透明電極側の第２引き回し配線とスルーホールにより接続された、外部接続側の第２引き回し配線からなる。
【００２８】
（１０）本発明のタッチパネルは、電極フィルムの一主面に形成された透明電極側の第１引き回し配線と、電極フィルムの他の主面に形成された外部接続側の第１引き回し配線と、電極フィルムを貫通するスルーホールを有する。
【００２９】
（１１）本発明のタッチパネルは、主面を有するカバーフィルムと、カバーフィルムと電極フィルムを接着する接着層と、電極フィルムの一主面に形成された透明電極側の第１引き回し配線と、カバーフィルムの主面に形成された外部接続側の第１引き回し配線と、接着層を貫通するスルーホールを有する。
【００３０】
（１２）本発明のタッチパネルは、電極フィルムと、電極フィルムの一主面に形成された第１透明電極および第２透明電極と、第１透明電極と接続された、透明電極側の第１引き回し配線と、透明電極側の第１引き回し配線とスルーホールにより接続された、外部接続側の第１引き回し配線と、第２透明電極と接続された第２引き回し配線を有する。
【００３１】
（１３）本発明のタッチパネルにおいては、更に、第２引き回し配線が、第２透明電極と接続された、透明電極側の第２引き回し配線と、透明電極側の第２引き回し配線とスルーホールにより接続された、外部接続側の第２引き回し配線からなる。
【００３２】
（１４）本発明のタッチパネルは、主面を有するカバーフィルムと、カバーフィルムと電極フィルムを接着する接着層と、電極フィルムの主面に形成された透明電極側の第１引き回し配線と、カバーフィルムの主面に形成された外部接続側の第１引き回し配線と、接着層を貫通するスルーホールを有する。
【００３３】
以後、理解を容易とするため、第１透明電極をＸ方向透明電極、第１透明電極と所定の角度で交わる第２透明電極をＹ方向透明電極、第１引き回し配線をＸ方向引き回し配線、第２引き回し配線をＹ方向引き回し配線として説明する。（Ｘ方向はタッチパネルの横方向、Ｙ方向はタッチパネルの縦方向とする。）しかし、第１透明電極がＹ方向透明電極、第２透明電極がＸ方向透明電極、第１引き回し配線がＹ方向引き回し配線、第２引き回し配線がＸ方向引き回し配線であっても差し支えない。
【００３４】
第１透明電極（Ｘ方向透明電極）と第２透明電極（Ｙ方向透明電極）は３次元的にねじれの関係にあるが、平面視したとき（タッチパネルの主面に垂直な方向から見たとき）所定の角度で交わるため、それを簡略化して「第１透明電極と第２透明電極は所定の角度で交わる」ということにする。第１透明電極と第２透明電極が交わる角度は通常９０度であるが、９０度に限定されることはない。
【００３５】
以後、理解を容易にするため図面に合わせて、「第１面側」を「上面」、「第２面側」を「下面」というが、第１面側と第２面側に物理的に決まった上下関係があるわけではない（タッチパネルの設置された方向により第１面側と第２面側の上下関係は変化する）。
【００３６】
透明電極は、ＩＴＯ（Indium Tin Oxideインジウムスズ酸化物）等の透明薄膜または極細の導電線などで形成することが可能であるが、本明細書ではそれらを一括して透明電極という。
【発明の効果】
【００３７】
本発明においては、引き回し配線を複数の面に分割して配置し、スルーホールを用いて分割された配線を接続することにより、配線領域の幅を狭くすることができ、額縁の幅の狭いタッチパネルが実現された。
【図面の簡単な説明】
【００３８】
【図１】本発明のタッチパネルの第１例の断面図
【図２】本発明のタッチパネルの第１例の第１電極フィルムの下面に形成された、Ｘ方向透明電極とＸ方向引き回し配線の配置図
【図３】本発明のタッチパネルの第１例の第２電極フィルムの上面に形成された、Ｙ方向透明電極、Ｙ方向引き回し配線およびＸ方向引き回し配線の配置図
【図４】本発明のタッチパネルの第１例に用いられるＸ方向引き回し配線のスルーホール近傍の拡大断面図
【図５】（ａ）本発明のタッチパネルの第１例の第１電極フィルムの下面のＸ方向引き回し配線のスルーホール接続部の拡大図、（ｂ）本発明のタッチパネルの第１例の第２電極フィルムの上面側のＸ方向引き回し配線のスルーホール接続部の拡大図
【図６】本発明のタッチパネルの第１例に用いられる他の構造のスルーホール近傍の拡大断面図
【図７】本発明のタッチパネルの第２例の断面図
【図８】本発明のタッチパネルの第２例の第１電極フィルムの上面に形成された、Ｘ方向透明電極とＸ方向引き回し配線の配置図
【図９】本発明のタッチパネルの第２例の第１電極フィルムの下面に形成されたＸ方向引き回し配線の配置図
【図１０】本発明のタッチパネルの第２例の第２電極フィルムの上面に形成された、Ｙ方向透明電極とＹ方向引き回し配線の配置図
【図１１】本発明のタッチパネルの第３例の断面図
【図１２】本発明のタッチパネルの第３例の電極フィルムの上面に形成された、Ｘ方向透明電極とＸ方向引き回し配線の配置図
【図１３】本発明のタッチパネルの第３例の電極フィルムの下面に形成された、Ｙ方向透明電極とＹ方向引き回し配線とＸ方向引き回し配線の配置図
【図１４】本発明のタッチパネルの第４例の断面図
【図１５】本発明のタッチパネルの第４例の第１電極フィルムの上面に形成された、Ｘ方向透明電極とＸ方向引き回し配線の配置図
【図１６】本発明のタッチパネルの第４例の第２電極フィルムの下面に形成された、Ｙ方向透明電極とＹ方向引き回し配線の配置図
【図１７】本発明のタッチパネルの第５例の断面図
【図１８】本発明のタッチパネルの第６例の断面図
【図１９】本発明のタッチパネルの第７例の断面図
【図２０】本発明のタッチパネルの第８例の断面図
【図２１】本発明のタッチパネルの第９例の断面図
【図２２】本発明のタッチパネルの第９例の電極フィルムの上面に形成された、Ｘ方向透明電極、Ｘ方向引き回し配線、Ｙ方向透明電極、Ｙ方向引き回し配線の配置図
【図２３】本発明のタッチパネルの第１０例の断面図
【図２４】従来のタッチパネルの断面図
【図２５】従来のタッチパネルの第１電極フィルムの下面に形成された、Ｘ方向透明電極とＸ方向引き回し配線の配置図
【図２６】従来のタッチパネルの第２電極フィルムの上面に形成された、Ｙ方向透明電極とＹ方向引き回し配線の配置図
【発明を実施するための形態】
【００３９】
以下、本発明の実態形態について添付図面を参照して説明する。尚、各図面は、構成の理解を容易にするため、実寸比ではなく部分的に拡大又は縮小されている。
【００４０】
［本発明のタッチパネルの第１例］
図１は本発明のタッチパネルの第１例の断面図である。タッチパネル１０においては、下面にＸ方向透明電極１２を有する第１電極フィルム１３と、上面にＹ方向透明電極１４を有する第２電極フィルム１５が、接着層１６により接着されている。Ｘ方向透明電極１２とＹ方向透明電極１４は接着層１６を隔てて対向する。
【００４１】
なお図２に示すように、スルーホール１８は第１電極フィルム１３の辺に対して斜めに配置されているため、図１のスルーホール１８を含む部分の断面図については、図２において、全部のスルーホール１８を通るように第１電極フィルム１３の辺に対して斜めに切断した断面図である。これは以後の実施例でも同様である。
【００４２】
Ｘ方向引き回し配線は、第１電極フィルム１３の下面と、第２電極フィルム１５の上面に分割して設けられる。第１電極フィルム１３の下面には透明電極側のＸ方向引き回し配線１７ａが設けられる。第２電極フィルム１５の上面には図１、図３に示すように、外部接続側のＸ方向引き回し配線１７ｂが設けられる。透明電極側のＸ方向引き回し配線１７ａの一部は外部接続に用いられる。残りの透明電極側のＸ方向引き回し配線１７ａと、外部接続側のＸ方向引き回し配線１７ｂは、接着層１６を貫くスルーホール１８により電気的に接続されている。スルーホール１８の内部には導電材料１９（銀インクのような導電ペースト、あるいは異方導電材）が充填されている。なお、透明電極側のＸ方向引き回し配線１７ａの端部と外部接続側のＸ方向引き回し配線１７ｂの端部との接続は１対１で電気的に接続することが原則であるが、例えばダミー配線を設けた場合などは１対複数の接続となる。これは以後の実施例でも同様である。
【００４３】
第２電極フィルム１５の上面に、Ｙ方向引き回し配線が設けられている。但し図１にＹ方向引き回し配線は示されていない。Ｘ方向引き回し配線１７ａ、１７ｂおよびＹ方向引き回し配線の材料は、十分に抵抗が低い材料であれば特に限定されない。Ｘ方向引き回し配線１７ａ、１７ｂおよびＹ方向引き回し配線は、例えば銀インクなどの導電ペーストや、銅、銀、スズおよびそれらの合金の金属薄膜などで形成される。Ｘ方向引き回し配線１７ａ、１７ｂおよびＹ方向引き回し配線は、印刷あるいはエッチングやフォトリソグラフィ等のパターニングなど公知の方法により形成される。Ｘ方向引き回し配線１７ａ、１７ｂおよびＹ方向引き回し配線の厚さは１μｍ〜１５μｍ程度（導電ペーストを用いた場合）、幅（ライン）は１０μｍ〜１００μｍ程度が適している。Ｘ方向引き回し配線１７ａ、１７ｂおよびＹ方向引き回し配線の間隔（スペース）は１０μｍ〜１００μｍ程度が適している。これは以後の実施例でも同様である。
【００４４】
図２は本発明のタッチパネル１０の第１例の第１電極フィルム１３の下面に形成された、Ｘ方向透明電極１２と透明電極側のＸ方向引き回し配線１７ａの配置図である。なおＸ方向透明電極１２と透明電極側のＸ方向引き回し配線１７ａは第１電極フィルム１３の下面にあるため本来は破線で表示すべきであるが、見やすくするため実線で表示した。
【００４５】
Ｘ方向透明電極１２は、多数の菱型の透明電極パターン１２ａがＸ方向（横方向）に細い連結電極１２ｂで電気的に接続され、タッチパネル１０の横方向に配列されたものである。そして多数（例えば３０本）のＸ方向透明電極１２がタッチパネル１０の縦方向に平行に配列されている。Ｘ方向透明電極１２を上から第１行、第２行、第３行、...と呼ぶ。なお、Ｘ方向透明電極１２の形状は上記に限定されるものではなく、例えば単純な短冊状としてもよい。これは以後の実施例でも同様である。
【００４６】
Ｘ方向透明電極１２に透明電極側のＸ方向引き回し配線１７ａが接続されている。そのため透明電極側のＸ方向引き回し配線１７ａはＸ方向透明電極１２と同数である。例えばＸ方向透明電極１２が３０本のとき、透明電極側のＸ方向引き回し配線１７ａも３０本である。図２では説明のため、Ｘ方向透明電極１２が８本、透明電極側のＸ方向引き回し配線１７ａが８本の例を示す。なお、Ｘ方向透明電極１２とは別にシールド電極などを設ける場合もあり、透明電極側のＸ方向引き回し配線１７ａの本数がＸ方向透明電極１２の本数が異なる場合もある。これは以後の実施例でも同様である。
【００４７】
図２に示すように、第１行のＸ方向透明電極１２に１番の透明電極側のＸ方向引き回し配線１７ａが接続されている。第２行のＸ方向透明電極１２に２番の透明電極側のＸ方向引き回し配線１７ａが接続されている。以下同様にして、第８行のＸ方向透明電極１２に８番の透明電極側のＸ方向引き回し配線１７ａが接続されている。
【００４８】
図２に示すように、第１電極フィルム１３の下面に、１番〜４番の透明電極側のＸ方向引き回し配線１７ａとスルーホール１８が配置される（正確にはスルーホール１８は接着層１６に設けられる）。１番〜４番の透明電極側のＸ方向引き回し配線１７ａはスルーホール１８を通して、図３に示す第２電極フィルム１５の上面の１番〜４番の外部接続側のＸ方向引き回し配線１７ｂに接続されている。
【００４９】
第１電極フィルム１３の下面に、５番〜８番の透明電極側のＸ方向引き回し配線１７ａが配置される。５番〜８番の透明電極側のＸ方向引き回し配線１７ａは、第１電極フィルム１３の下面で完結する。なお第１電極フィルム１３の下面から第２電極フィルム１５の上面に接続されているＸ方向引き回し配線の数と、第１電極フィルム１３の下面で完結するＸ方向引き回し配線の数が同じ本数である必要はない。また、スルーホールと接続する透明電極側のＸ方向引き回し配線１７ａは、上記のように連続して隣り合うものに限られず、パネルの仕様によっては、１本おきに配置したり、ランダムに配置したりしてもよい。これは以後の実施例でも同様である。
【００５０】
図２において、透明電極側のＸ方向引き回し配線１７ａの配線幅（ライン）と配線間隔（スペース）をそれぞれＬ（μｍ）、Ｓ（μｍ）とすると、第１電極フィルム１３の下面の引き回し配線の領域の横方向の幅は（４Ｌ+３Ｓ）（μｍ）となる。例えば、Ｘ方向透明電極とＸ方向引き回し配線が３０本の場合、第１電極フィルムの下面に１番から１５番のＸ方向引き回し配線とスルーホールが配置される。また、第１電極フィルムの下面に１６番から３０番のＸ方向引き回し配線が配置される。
【００５１】
図３はタッチパネル１０の第２電極フィルム１５の上面に形成された、Ｙ方向透明電極１４、Ｙ方向引き回し配線２０および外部接続側のＸ方向引き回し配線１７ｂの配置図である。Ｙ方向透明電極１４は、多数の菱型の透明電極パターン１４ａがＹ方向（縦方向）に細い連結電極１４ｂで電気的に接続され、タッチパネル１０の縦方向に配列されたものである。なお、Ｙ方向透明電極１４の形状は上記に限定されるものではなく、例えば単純な短冊状としてもよい。そして多数（例えば４０本）のＹ方向透明電極１４がタッチパネル１０の横方向に平行に配列されている。Ｙ方向透明電極１４を左から第１列、第２列、第３列、...と呼ぶ。これは以後の実施例でも同様である。
【００５２】
Ｘ方向透明電極１２の透明電極パターン１２ａとＹ方向透明電極１４の透明電極パターン１４ａが重ならないように、第１電極フィルム１３と第２電極フィルム１５は貼り合わされる。図３では、Ｙ方向透明電極１４はＸ方向透明電極１２と直交（平面視のとき）しているが、それに限定されず、Ｙ方向透明電極１４はＸ方向透明電極１２と所定の角度をもって配置されてもよい。これは以後の実施例でも同様である。
【００５３】
Ｙ方向透明電極１４にＹ方向引き回し配線２０が接続されている。Ｙ方向引き回し配線２０はＹ方向透明電極１４と同数である。例えばＹ方向透明電極１４が４０本のときは、Ｙ方向引き回し配線２０も４０本である。図３では説明のため、Ｙ方向透明電極１４が１０本、Ｙ方向引き回し配線２０が１０本の例を示す。なお、Ｙ方向透明電極１４とは別にシールド電極などを設ける場合もあり、Ｙ方向引き回し配線２０の本数とＹ方向透明電極１４の本数が異なっていることもある。これは以後の実施例でも同様である。
【００５４】
図３に示すように、第１列のＹ方向透明電極１４に１番のＹ方向引き回し配線２０が接続されている。第２列のＹ方向透明電極１４に２番のＹ方向引き回し配線２０が接続されている。以下同様にして、第１０列のＹ方向透明電極１４に１０番のＹ方向引き回し配線２０が接続されている。
【００５５】
図３に示すように、第２電極フィルム１５の上面に１番〜１０番のＹ方向引き回し配線２０が配置される。また第２電極フィルム１５の上面に１番〜４番の外部接続側のＸ方向引き回し配線１７ｂとそれに接続するスルーホール１８が配置される（正確にはスルーホール１８は接着層１６に設けられる）。図２の透明電極側のＸ方向引き回し配線１７ａの下端、図３の外部接続側のＸ方向引き回し配線１７ｂの下端とＹ方向引き回し配線２０の下端が、コネクタ（図示しない）等により外部接続される。
【００５６】
Ｘ方向透明電極１２と透明電極側のＸ方向引き回し配線１７ａの本数が３０本の場合、Ｘ方向引き回し配線の配線幅（ライン）を３０μｍ、配線間隔（スペース）を３０μｍとする。第１電極フィルム１３に縦方向に設けられた透明電極側のＸ方向引き回し配線１７ａの本数が１５本、第２電極フィルム１５に縦方向に設けられた外部接続側のＸ方向引き回し配線１７ｂの本数が１５本とすると、第１電極フィルム１３の下面の引き回し配線の領域の横方向の幅は（３０μｍ＋３０μｍ）×１５本＝９００μｍとなり、従来の１／２となる。そのため、第１電極フィルム１３の下面の引き回し配線の領域の横幅は従来の約半分に縮小される。第２電極フィルム１５の上面の引き回し配線の領域の横幅も同様である。そのためタッチパネル１０の左右の額縁の横幅が狭くなっても引き回し配線の領域は不足しない。
【００５７】
第１電極フィルム１３および第２電極フィルム１５の材質は、ポリエステル、ポリエチレンテレフタレート、ポリカーボネート、ポリメチルメタクリレート、ポリエチレンナフタレートなどの高分子フィルム、あるいは、ガラスが挙げられる。第１電極フィルム１３および第２電極フィルム１５の厚さは２０μｍ〜２００μｍ程度が好ましい。これは以後の実施例でも同様である。
【００５８】
Ｘ方向透明電極１２およびＹ方向透明電極１４の材質は、ＩＴＯ（Indium Tin Oxideインジウムスズ酸化物）、ＺｎＯ（酸化亜鉛）などの導電性薄膜が挙げられる。あるいは、カーボンナノチューブ、カーボンナノワイヤ、カーボンナノファイバー、グラファイトフィブリル、極細金属繊維などを高分子ポリマーに分散させた複合材料が挙げられる。あるいは極細の導電線を印刷やフォトリソグラフィ等により形成することが挙げられる。導電線の幅は、導電線を視認されにくくするため１０μｍ以下が好ましく、５μｍ以下がより好ましく、２μｍ以下がさらに好ましい。導電線のピッチは透過率を高くするため１００μｍ〜１０００μｍ程度が好ましい。これは以後の実施例でも同様である。
【００５９】
接着層１６として、シリコーン系、エポキシ系、あるいはアクリル系の光学透明接着剤などによって形成された層が挙げられる。接着層１６の厚さは１０μｍ〜２００μｍ程度が好ましい。また、熱硬化性や光硬化性の接着剤を用いてもよい。これは以後の実施例でも同様である。
【００６０】
タッチパネル１０に指を近付けると、指の近傍のＸ方向透明電極１２およびＹ方向透明電極１４におけるキャパシタンス等が変化する。各電極へ信号を切り替えながら、これらの電気的な変化を検出することで、指のＸ座標およびＹ座標が検知される。なお、検出方式としては自己容量検出方式および相互容量検出方式がある。これは以後の実施例でも同様である。
【００６１】
［スルーホール］
図４は透明電極側のＸ方向引き回し配線１７ａと外部接続側のＸ方向引き回し配線１７ｂを接続するスルーホール１８の拡大断面図である。透明電極側のＸ方向引き回し配線１７ａと外部接続側のＸ方向引き回し配線１７ｂの端部に合わせて接着層１６に、ドリルあるいはレーザーによりスルーホール１８が穿孔される。接着層１６のスルーホール１８に合わせて第１電極フィルム１３に導電ペースト注入口１３ａおよび空気抜き口１３ｂが設けられる。これは以後の実施例でも同様である。
【００６２】
第１電極フィルム１３の導電ペースト注入口１３ａから、ディスペンサーなどを用いて導電ペースト１９ａがスルーホール１８に注入されて充填され、硬化される。導電ペースト注入口１３ａは、図示しない絶縁体により塞がれる。導電ペースト１９ａを介して第１電極フィルム１３の下面のＸ方向引き回し配線１７ａと、第２電極フィルム１５の上面のＸ方向引き回し配線１７ｂが電気的に接続されている。導電ペースト１９ａは導電性を有する材料であれば特に限定されず、例えば金属微粒子とバインダを含む導電性インクやはんだなどが挙げられる。これは以後の実施例でも同様である。
【００６３】
図５（ａ）は本発明のタッチパネル１０の第１例の第１電極フィルム１３の下面の透明電極側のＸ方向引き回し配線１７ａのスルーホール１８との接続部の拡大図、図５（ｂ）は本発明のタッチパネル１０の第１例の第２電極フィルム１５の上面の外部接続側のＸ方向引き回し配線１７ｂのスルーホール１８との接続部の拡大図である。第１電極フィルム１３の下面の透明電極側のＸ方向引き回し配線１７ａのスルーホール１８との接続部の中央の孔１７ｃは導電ペースト１９ａを注入するための開口であり、その横の小さな孔１７ｄは導電ペースト１９ａを注入するときの空気抜きの開口である。これは以後の実施例でも同様である。
【００６４】
図６はタッチパネル１０に用いられる他の構造のスルーホール１８の拡大断面図である。第１電極フィルム１３の下面の透明電極側のＸ方向引き回し配線１７ａの端部と、第２電極フィルム１５の上面の外部接続側のＸ方向引き回し配線１７ｂの端部に合わせて接着層１６にスルーホール１８が設けられ、スルーホール１８に異方導電材１９ｂが充填される。これは以後の実施例でも同様である。
【００６５】
第１電極フィルム１３の下面の透明電極側のＸ方向引き回し配線１７ａの端部および第２電極フィルム１５の上面の外部接続側のＸ方向引き回し配線１７ｂの端部は、異方導電材１９ｂと加圧加熱（ヒートシール）により電気的に接続されている。その他の導電材料１９として、導電性を有する弾性材などをスルーホール１８に配設して導通させてもよい。これは以後の実施例でも同様である。
【００６６】
以上、Ｘ方向引き回し配線の約半数を、他の電極フィルムの配線の無い領域に移動させることで、Ｘ方向引き回し配線の領域の幅を狭くする構成を示したが、Ｙ方向引き回し配線についても同様の構成とすることが可能である。具体的には、更に第１電極フィルム１３の下面にＹ方向引き回し配線（図示せず）を設け、それと第２電極フィルム１５の上面に設けられたＹ方向引き回し配線２０を、スルーホール（図示せず）により電気的に接続する。この構成によりＹ方向引き回し配線の領域の幅も狭くすることができる。これは以後の実施例でも同様である。
【００６７】
［本発明のタッチパネルの第２例］
図７は本発明のタッチパネルの第２例の断面図である。タッチパネル３０においては、上面にＸ方向透明電極３１を有する第１電極フィルム３２と、上面にＹ方向透明電極３３を有する第２電極フィルム３４が、接着層３５により接着されている。このためＸ方向透明電極３１とＹ方向透明電極３３の間には第１電極フィルム３２と接着層３５が挟まれている。図示されていないが、Ｘ方向透明電極３１は保護フィルムあるいは保護ガラスでカバーされる。
【００６８】
Ｘ方向引き回し配線は、第１電極フィルム３２の上面と下面に分割して設けられる。第１電極フィルム３２の上面には透明電極側のＸ方向引き回し配線３６ａが設けられる。第１電極フィルム３２の下面には外部接続側のＸ方向引き回し配線３６ｂが設けられる。透明電極側のＸ方向引き回し配線３６ａの一部は外部接続に用いられる。透明電極側のＸ方向引き回し配線３６ａと、外部接続側のＸ方向引き回し配線３６ｂは、第１電極フィルム３２を貫くスルーホール３７により電気的に接続されている。スルーホール３７の内部には導電材料３９が充填されている。
【００６９】
図８はタッチパネル３０の第１電極フィルム３２の上面に形成された、Ｘ方向透明電極３１と透明電極側のＸ方向引き回し配線３６ａの配置図である。Ｘ方向透明電極３１と透明電極側のＸ方向引き回し配線３６ａは図２と同様であるため説明を省略する。
【００７０】
図９は第１電極フィルム３２の下面の１番から４番の外部接続側のＸ方向引き回し配線３６ｂの配置図である。外部接続側のＸ方向引き回し配線３６ｂおよびこれと透明電極側のＸ方向引き回し配線３６ａの接続は図３と同様であるため説明を省略する。
【００７１】
図１０はタッチパネル３０の第２電極フィルム３４の上面に形成された、Ｙ方向透明電極３３とＹ方向引き回し配線３８の配置図である。Ｙ方向透明電極３３とＹ方向引き回し配線３８は図３と同様であるため説明を省略する。
【００７２】
図８の透明電極側のＸ方向引き回し配線３６ａの下端、図９の外部接続側のＸ方向引き回し配線３６ｂの下端、図１０のＹ方向引き回し配線３８の下端がコネクタ（図示しない）等により外部接続される。
【００７３】
［本発明のタッチパネルの第３例］
図１１は本発明のタッチパネルの第３例の断面図である。タッチパネル４０においては、電極フィルム４１の上面にＸ方向透明電極４２が、下面にＹ方向透明電極４３が形成されている。Ｘ方向透明電極４２およびＹ方向透明電極４３は、図示しない保護カバーで覆われる。
【００７４】
Ｘ方向引き回し配線は、電極フィルム４１の上面と下面に分割して設けられる。電極フィルム４１の上面には透明電極側のＸ方向引き回し配線４４ａが設けられる。電極フィルム４１の下面には外部接続側のＸ方向引き回し配線４４ｂが設けられる。透明電極側のＸ方向引き回し配線４４ａの一部は外部接続に用いられる。残りの透明電極側のＸ方向引き回し配線４４ａと、外部接続側のＸ方向引き回し配線４４ｂは、電極フィルム４１を貫くスルーホール４５により電気的に接続されている。スルーホール４５の内部には導電材料４６が充填されている。
【００７５】
図１２はタッチパネル４０の電極フィルム４１の上面に形成された、Ｘ方向透明電極４２と透明電極側のＸ方向引き回し配線４４ａの配置図である。Ｘ方向透明電極４２と透明電極側のＸ方向引き回し配線４４ａは図２と同様であるため説明を省略する。
【００７６】
図１３はタッチパネル４０の電極フィルム４１の下面に形成された、Ｙ方向透明電極４３、Ｙ方向引き回し配線４７および外部接続側のＸ方向引き回し配線４４ｂの配置図である。Ｙ方向透明電極４３、Ｙ方向引き回し配線４７および外部接続側のＸ方向引き回し配線４４ｂは図３と同様であるため説明を省略する。
【００７７】
［本発明のタッチパネルの第４例］
図１４は本発明のタッチパネルの第４例の断面図である。タッチパネル５０においては、上面にＸ方向透明電極５１を有する第１電極フィルム５２と、下面にＹ方向透明電極５３を有する第２電極フィルム５４が、接着層５５により接着されている。このためＸ方向透明電極５１とＹ方向透明電極５３の間には第１電極フィルム５２、接着層５５および第２電極フィルム５４が挟まれている。図示されていないが、Ｘ方向透明電極５１およびＹ方向透明電極５３は保護フィルムあるいは保護ガラスでカバーされる。
【００７８】
Ｘ方向引き回し配線は、第１電極フィルム５２の上面と、第２電極フィルム５４の下面に分割して設けられる。第１電極フィルム５２の上面には透明電極側のＸ方向引き回し配線５６ａが設けられる。第２電極フィルム５４の下面には外部接続側のＸ方向引き回し配線５６ｂが設けられる。透明電極側のＸ方向引き回し配線５６ａの一部は外部接続に用いられる。残りの透明電極側のＸ方向引き回し配線５６ａと、外部接続側のＸ方向引き回し配線５６ｂは、第１電極フィルム５２と接着層５５と第２電極フィルム５４を貫くスルーホール５７により電気的に接続されている。スルーホール５７の内部には導電材料５９が充填されている。
【００７９】
図１５はタッチパネル５０の第１電極フィルム５２の上面に形成された、Ｘ方向透明電極５１と透明電極側のＸ方向引き回し配線５６ａの配置図である。Ｘ方向透明電極５１と透明電極側のＸ方向引き回し配線５６ａは図２と同様であるため説明を省略する。
【００８０】
図１６はタッチパネル５０の第２電極フィルム５４の下面に形成された外部接続側のＸ方向引き回し配線５６ｂ、Ｙ方向透明電極５３およびＹ方向引き回し配線５８の配置図である。外部接続側のＸ方向引き回し配線５６ｂ、Ｙ方向透明電極５３およびＹ方向引き回し配線５８は図３と同様であるため説明を省略する。
【００８１】
図１５の透明電極側のＸ方向引き回し配線５６ａの下端、図１６の外部接続側のＸ方向引き回し配線５６ｂの下端とＹ方向引き回し配線５８の下端がコネクタ（図示しない）等により外部接続される。
【００８２】
［本発明のタッチパネルの第５例］
図１７は本発明のタッチパネルの第５例の断面図である。タッチパネル７０においては、上面にＸ方向透明電極７１を有する第１電極フィルム７２と、上面にＹ方向透明電極７３を有する第２電極フィルム７４が、接着層７５により接着されている。このためＸ方向透明電極７１とＹ方向透明電極７３の間には第１電極フィルム７２と接着層７５が挟まれている。Ｘ方向透明電極７１は、図示されていない保護フィルムあるいは保護ガラスでカバーされる。
【００８３】
Ｘ方向引き回し配線は、第１電極フィルム７２の上面と、第２電極フィルム７４の上面に分割して設けられる。第１電極フィルム７２の上面には透明電極側のＸ方向引き回し配線７６ａが設けられる。第２電極フィルム７４の上面には外部接続側のＸ方向引き回し配線７６ｂが設けられる。透明電極側のＸ方向引き回し配線７６ａの一部は外部接続に用いられる。残りの透明電極側のＸ方向引き回し配線７６ａと、外部接続側のＸ方向引き回し配線７６ｂは、第１電極フィルム７２と接着層７５を貫くスルーホール７７により電気的に接続されている。スルーホール７７の内部には導電材料７８が充填されている。
【００８４】
タッチパネル７０においては、Ｘ方向引き回し配線７６ａ、７６ｂ、および図示しないＹ方向引き回し配線（第２電極フィルム７４の上面にある）と接続するコネクタ（図示せず）の取出し面を、第１電極フィルム７２の上面及び第２電極フィルム７４の上面の２面にすることができる。コネクタの取出し面とは、コネクタと引き回し配線の端部を、異方導電材を介した熱圧着等で電気的に接続する面のことをいう。
【００８５】
［本発明のタッチパネルの第６例］
図１８は本発明のタッチパネルの第６例の断面図である。タッチパネル１００においては、上面にＸ方向透明電極１０１を有する第１電極フィルム１０２と、上面にＹ方向透明電極１０３を有する第２電極フィルム１０４が、第２接着層１０５により接着されている。Ｘ方向透明電極１０１とＹ方向透明電極１０３の間には第１電極フィルム１０２と第２接着層１０５が挟まれている。またカバーフィルム１０６と第１電極フィルム１０２が第１接着層１０８により接着されている。Ｘ方向透明電極１０１はカバーフィルム１０６でカバーされている。カバーフィルム１０６は樹脂材料に限らず、ガラスなどの無機材料や複合材料でもよい。
【００８６】
Ｘ方向引き回し配線は、第１電極フィルム１０２の上面とカバーフィルム１０６の下面に分割して設けられる。第１電極フィルム１０２の上面には透明電極側のＸ方向引き回し配線１０７ａが設けられる。カバーフィルム１０６の下面には外部接続側のＸ方向引き回し配線１０７ｂが設けられる。透明電極側のＸ方向引き回し配線１０７ａの一部は外部接続に用いられる。
【００８７】
透明電極側のＸ方向引き回し配線１０７ａと外部接続側のＸ方向引き回し配線１０７ｂは、接着層１０８を貫通したスルーホール１０９により電気的に接続されている。
【００８８】
なお変形例として、Ｘ方向引き回し配線の１／３を第１電極フィルム１０２の上面に、１／３をスルーホールを介してカバーフィルム１０６の下面に、残り１／３をスルーホールを介して第１電極フィルム１０２の下面に配置すると、Ｘ方向引き回し配線に必要な額縁の幅が約１／３になる。
【００８９】
［本発明のタッチパネルの第７例］
図１９は本発明のタッチパネルの第７例の断面図である。タッチパネル１１０においては、電極フィルム１１１の上面にＸ方向透明電極１１２が、下面にＹ方向透明電極１１３が形成されている。カバーフィルム１１４が、電極フィルム１１１に接着層１１５で接着されている。カバーフィルム１１４は樹脂材料に限らず、ガラスなどの無機材料や複合材料でもよい。
【００９０】
Ｘ方向引き回し配線は、電極フィルム１１１の上面とカバーフィルム１１４の下面に分割して設けられる。電極フィルム１１１の上面には透明電極側のＸ方向引き回し配線１１６ａが設けられる。カバーフィルム１１４の下面には外部接続側のＸ方向引き回し配線１１６ｂが設けられる。透明電極側のＸ方向引き回し配線１１６ａの一部は外部接続に用いられる。残りの透明電極側のＸ方向引き回し配線１１６ａと外部接続側のＸ方向引き回し配線１１６ｂは、接着層１１５を貫通したスルーホール１１７により電気的に接続されている。
【００９１】
［本発明のタッチパネルの第８例］
図２０は本発明のタッチパネルの第８例の断面図である。タッチパネル１２０においては、第１電極フィルム１２１の上面にＸ方向透明電極１２２が、第２電極フィルム１２３の下面にＹ方向透明電極１２４が形成されている。カバーフィルム１２５が、第１電極フィルム１２１に第１接着層１２６で接着されている。カバーフィルム１２５は樹脂材料に限らず、ガラスなどの無機材料や複合材料でもよい。第１電極フィルム１２１と第２電極フィルム１２３は第２接着層１２７で接着されている。
【００９２】
Ｘ方向引き回し配線は、第１電極フィルム１２１の上面とカバーフィルム１２５の下面に分割して設けられる。第１電極フィルム１２１の上面には透明電極側のＸ方向引き回し配線１２８ａが設けられる。カバーフィルム１２５の下面には外部接続側のＸ方向引き回し配線１２８ｂが設けられる。透明電極側のＸ方向引き回し配線１２８ａの一部は外部接続に用いられる。残りの透明電極側のＸ方向引き回し配線１２８ａと外部接続側のＸ方向引き回し配線１２８ｂは第１接着層１２６を貫通したスルーホール１２９により電気的に接続されている。
【００９３】
［本発明のタッチパネルの第９例］
図２１は本発明のタッチパネルの第９例の断面図である。タッチパネル８０においては、電極フィルム８１の上面にＸ方向透明電極８２およびＹ方向透明電極８３が形成されている。Ｘ方向透明電極８２およびＹ方向透明電極８３は絶縁層８６により隔てられている。Ｘ方向透明電極８２およびＹ方向透明電極８３は、図示しない保護カバーで覆われる。
【００９４】
Ｘ方向引き回し配線は、電極フィルム８１の上面と下面に分割して設けられる。電極フィルム８１の上面には透明電極側のＸ方向引き回し配線８４ａが設けられる。電極フィルム８１の下面には外部接続側のＸ方向引き回し配線８４ｂが設けられる。透明電極側のＸ方向引き回し配線８４ａの一部は外部接続に用いられる。残りの透明電極側のＸ方向引き回し配線８４ａと外部接続側のＸ方向引き回し配線８４ｂは、電極フィルム８１を貫通したスルーホール８５により電気的に接続されている。
【００９５】
図２２はタッチパネル８０の平面図である。Ｘ方向透明電極８２の連結電極８２ｂを覆う絶縁層８６が設けられ、絶縁層８６の上にＹ方向透明電極８３の連結電極８３ｂが形成されている。この構成によると、１枚の電極フィルム８１の片面（上面）に、Ｘ方向透明電極８２およびＹ方向透明電極８３、Ｙ方向引き回し配線８７を設けることができる。
【００９６】
図示しないが、Ｘ方向透明電極８２の全面を絶縁層８６と同様の絶縁層で覆い、その絶縁層の上にＹ方向透明電極８３を配置してもよい。この場合、Ｙ方向透明電極８３とＹ方向引き回し配線８７の間には絶縁層の厚さに相当する高低差があるが、例えば、導電性ペーストをＹ方向透明電極８３とＹ方向引き回し配線８７を接続するようにスクリーン印刷すれば、高低差をクリアして導通させることができる。
【００９７】
タッチパネル８０においては、透明電極側のＸ方向引き回し配線８４ａ、外部接続側のＸ方向引き回し配線８４ｂおよびＹ方向引き回し配線８７（電極フィルム８１の上面にある）と接続するコネクタ（図示せず）の取出し面を、電極フィルム８１の上面および下面の２面にすることができる。
【００９８】
［本発明のタッチパネルの第１０例］
図２３は本発明のタッチパネルの第１０例の断面図である。タッチパネル９０において、電極フィルム９１の上面にＸ方向透明電極９２およびＹ方向透明電極９３が形成されている。Ｘ方向透明電極９２およびＹ方向透明電極９３は絶縁層９８により隔てられている。Ｘ方向透明電極９２およびＹ方向透明電極９３はカバーフィルム９４で覆われている。カバーフィルム９４は樹脂材料に限らず、ガラスなどの無機材料や複合材料でもよい。電極フィルム９１とカバーフィルム９４は接着層９５により接着されている。電極フィルム９１の上面に形成されたＸ方向透明電極９２およびＹ方向透明電極９３の構造は、図２２のタッチパネル８０と同様である。
【００９９】
Ｘ方向引き回し配線は、電極フィルム９１の上面とカバーフィルム９４の下面に分割して設けられる。電極フィルム９１の上面には透明電極側のＸ方向引き回し配線９６ａが設けられ、カバーフィルム９４の下面には外部接続側のＸ方向引き回し配線９６ｂが設けられる。透明電極側のＸ方向引き回し配線９６ａの一部は外部接続に用いられる。残りの透明電極側のＸ方向引き回し配線９６ａと外部接続側のＸ方向引き回し配線９６ｂは、接着層９５を貫通したスルーホール９７により電気的に接続されている。
【０１００】
タッチパネル９０においては、透明電極側のＸ方向引き回し配線９６ａ、外部接続側のＸ方向引き回し配線９６ｂおよびＹ方向引き回し配線（図示しないが電極フィルム９１の上面にある）と接続するコネクタ（図示せず）の取出し面を、電極フィルム９１の上面およびカバーフィルム９４の下面の２面にすることができる。
【０１０１】
以上、いずれの実施例においても、タッチパネルの狭額縁化が可能である。
【産業上の利用可能性】
【０１０２】
本発明のタッチパネルは狭額縁の液晶パネルに組み合わせて用いるのに好適である。その他、本発明は、その主旨を逸脱しない範囲で当業者の知識に基づき種々の改良、修正、変更を加えた態様で実施できるものである。
【符号の説明】
【０１０３】
１０、３０、４０、５０、６０、７０、８０、９０、１００、１１０、１２０ タッチパネル
１２、３１、４２、５１、６１、７１、８２、９２、１０１、１１２、１２２ Ｘ方向透明電極
１２ａ、１４ａ、３１ａ、４２ａ、４３ａ、５１ａ、５３ａ、６１ａ、６３ａ 透明電極パターン
１２ｂ、１４ｂ、３３ｂ、４２ｂ、５１ｂ、５３ｂ、６１ｂ、６３ｂ、８２ｂ、８３ｂ、 連結電極
１３、３２、５２、６２、７２、１０２、１２１、 第１電極フィルム
１３ａ 導電ペースト注入口
１３ｂ 空気抜き口
１４、３３、４３、５３、６３、７３、８３、９３、１０３、１１３、１２４ Ｙ方向透明電極
１５、３４、５４、６４、７４、１０４、１２３ 第２電極フィルム
１６、３５、５５、６５、７５、９５、１１５ 接着層
１７ａ、１７ｂ、３６ａ、３６ｂ、４４ａ、４４ｂ、５６ａ、５６ｂ、６６、７６ａ、７６ｂ、８４ａ、８４ｂ、９６ａ、９６ｂ、１０７ａ、１０７ｂ、１１６ａ、１１６ｂ、１２８ａ、１２８ｂ  Ｘ方向引き回し配線
１７ｃ、１７ｄ 孔
１８、３７、４５、５７、７７、８５、９７、１０９、１１７、１２９ スルーホール
１９、３９、４６、５９、７８、 導電材料
１９ａ 導電ペースト
１９ｂ 異方導電材
２０、３８、４７、５８、６７、８７、 Ｙ方向引き回し配線
４１、８１、９１、１１１ 電極フィルム
８６、９８ 絶縁層
９４、１０６、１１４、１２５ カバーフィルム
１０５、１２７ 第２接着層
１０８、１２６ 第１接着層
【要約】
【課題】タッチパネルの額縁の幅を狭くする。
【解決手段】タッチパネル１０は、第１電極フィルム１３および第２電極フィルム１５と、第１電極フィルム１３の主面に形成されたＸ方向透明電極１２と、第２電極フィルム１５の主面に形成されたＹ方向透明電極１４と、Ｘ方向透明電極１２と接続された透明電極側のＸ方向引き回し配線１７ａと、透明電極側のＸ方向引き回し配線１７ａとスルーホール１８により接続された外部接続側のＸ方向引き回し配線１７ｂと、Ｙ方向透明電極１４と接続されたＹ方向引き回し配線２０を有する。
【選択図】図１【図１】
0005801947.tif 000002
【図２】
0005801947.tif 000003
【図３】
0005801947.tif 000004
【図４】
0005801947.tif 000005
【図５】
0005801947.tif 000006
【図６】
0005801947.tif 000007
【図７】
0005801947.tif 000008
【図８】
0005801947.tif 000009
【図９】
0005801947.tif 000010
【図１０】
0005801947.tif 000011
【図１１】
0005801947.tif 000012
【図１２】
0005801947.tif 000013
【図１３】
0005801947.tif 000014
【図１４】
0005801947.tif 000015
【図１５】
0005801947.tif 000016
【図１６】
0005801947.tif 000017
【図１７】
0005801947.tif 000018
【図１８】
0005801947.tif 000019
【図１９】
0005801947.tif 000020
【図２０】
0005801947.tif 000021
【図２１】
0005801947.tif 000022
【図２２】
0005801947.tif 000023
【図２３】
0005801947.tif 000024
【図２４】
0005801947.tif 000025
【図２５】
0005801947.tif 000026
【図２６】
0005801947.tif 000027